(57)【特許請求の範囲】
【請求項１】
周波数−時間領域に定義されたリソース単位を時間方向に分割して所定周波数間隔で分散配置した分散配置型のリソースのうち、所定のリソースにおいて信号を含めない無信号リソースが配置されたことを示す無信号リソース設定情報を取得するリソース情報取得部と、
前記無信号リソースが配置された前記分散配置型のリソースを含む信号を受信する受信部と、
前記無信号リソース設定情報に基づき、前記分散配置型のリソースに配置された前記無信号リソースを用いて、他セルの干渉量に関するセル間干渉を測定するセル間干渉測定部と、
を備える無線受信装置。
【請求項２】
請求項１に記載の無線受信装置であって、
前記分散配置型のリソースとして、前記周波数−時間領域に定義されたリソース単位を時間方向に分割した前半スロットと後半スロットとし、これらの前半スロットと後半スロットとを周波数方向にホッピングさせて所定周波数間隔で分散配置したリソースが利用され、
前記セル間干渉測定部は、前記分散配置型のリソースの一部に配置された前記無信号リソースを用いてセル間干渉を測定する無線受信装置。
【請求項３】
請求項１に記載の無線受信装置であって、
前記無線通信システムとして、ＬＴＥ（Long Term Evolution）を適用した第１の通信システムと、ＬＴＥ−Ａ（LTE-advanced）を適用した第２の通信システムとに対応可能であり、前記分散配置型のリソースとして、ＬＴＥで規定された分散配置用リソースであるＤＶＲＢ（Distributed virtual Resource Block）リソースが利用され、このＤＶＲＢリソースは時間方向に分割した前半スロットと後半スロットとを周波数方向にホッピングさせて所定周波数間隔で分散配置したものであり、
前記セル間干渉測定部は、前記ＤＶＲＢリソースの一部に配置された前記無信号リソースを用いてセル間干渉を測定する無線受信装置。
【請求項４】
請求項３に記載の無線受信装置であって、
前記セル間干渉測定部は、前記ＤＶＲＢリソースのうちの特定のリソースＩＤのリソースに配置された前記無信号リソースを用いてセル間干渉を測定する無線受信装置。
【請求項５】
請求項２または３に記載の無線受信装置であって、
前記セル間干渉測定部は、前記分散配置型のリソースにおいて前記無信号リソースが所定周波数間隔で分散配置される際、前記分散配置の所定単位が周波数方向に繰り返して割り当てられた前記無信号リソースを用いて、セル間干渉を測定する無線受信装置。
【請求項６】
請求項２または３に記載の無線受信装置であって、
前記セル間干渉測定部は、前記分散配置型のリソースにおいて前記無信号リソースが所定周波数間隔で分散配置される際、前記分散配置の所定単位が送信タイミング毎に周波数方向に所定量シフトして割り当てられた前記無信号リソースを用いて、セル間干渉を測定する無線受信装置。
【請求項７】
周波数−時間領域に定義されたリソース単位を時間方向に分割して所定周波数間隔で分散配置した分散配置型のリソースのうち、所定のリソースにおいて信号を含めない無信号リソースを配置するようにリソース設定を行い、前記無信号リソース配置を示す無信号リソース設定情報を生成するリソース設定部と、
前記無信号リソースが配置された前記分散配置型のリソースを含む信号と、前記無信号リソース設定情報とを送信する送信部と、
を備える無線送信装置。
【請求項８】
請求項７に記載の無線送信装置であって、
前記分散配置型のリソースとして、前記周波数−時間領域に定義されたリソース単位を時間方向に分割した前半スロットと後半スロットとし、これらの前半スロットと後半スロットとを周波数方向にホッピングさせて所定周波数間隔で分散配置したリソースを利用し、
前記リソース設定部は、前記分散配置型のリソースの一部に前記無信号リソースを配置するリソース設定を行う無線送信装置。
【請求項９】
請求項７に記載の無線送信装置であって、
当該無線送信装置は、ＬＴＥを適用した第１の通信システムとＬＴＥ−Ａを適用した第２の通信システムと通信可能であり、
前記分散配置型のリソースとしてＬＴＥで規定された分散配置用リソースであるＤＶＲＢリソースを利用し、このＤＶＲＢリソースは時間方向に分割した前半スロットと後半スロットとを周波数方向にホッピングさせて所定周波数間隔で分散配置したものであり、
前記リソース設定部は、前記ＤＶＲＢリソースの一部に前記無信号リソースを配置するリソース設定を行う無線送信装置。
【請求項１０】
請求項９に記載の無線送信装置であって、
前記無信号リソースを配置しない前記ＤＶＲＢリソースの一部に、前記第１の通信システムに対応した無線受信装置に送信するデータを割り当てる、無線送信装置。
【請求項１１】
請求項９に記載の無線送信装置であって、
前記リソース設定部は、前記ＤＶＲＢリソースのうちの特定のリソースＩＤのリソースに前記無信号リソースを配置するリソース設定を行う無線送信装置。
【請求項１２】
請求項８または９に記載の無線送信装置であって、
前記リソース設定部は、前記分散配置型のリソースにおいて前記無信号リソースが所定周波数間隔で分散配置する際、前記分散配置の所定単位を周波数方向に繰り返して割り当てる状態で前記無信号リソースを配置するリソース設定を行う無線送信装置。
【請求項１３】
請求項８または９に記載の無線送信装置であって、
前記リソース設定部は、前記分散配置型のリソースにおいて前記無信号リソースが所定周波数間隔で分散配置する際、前記分散配置の所定単位を送信タイミング毎に周波数方向に所定量シフトして割り当てる状態で前記無信号リソースを配置するリソース設定を行う無線送信装置。
【請求項１４】
周波数−時間領域に定義されたリソース単位を時間方向に分割して所定周波数間隔で分散配置した分散配置型のリソースのうち、所定のリソースにおいて信号を含めない無信号リソースが配置されたことを示す無信号リソース設定情報を取得し、
前記無信号リソースが配置された前記分散配置型のリソースを含む信号を受信し、
前記無信号リソース設定情報に基づき、前記分散配置型のリソースに配置された前記無信号リソースを用いて、他セルとの干渉量に関するセル間干渉を測定する、
無線通信方法。
【請求項１５】
周波数−時間領域に定義されたリソース単位を時間方向に分割して所定周波数間隔で分散配置した分散配置型のリソースのうち、所定のリソースにおいて信号を含めない無信号リソースを配置するようにリソース設定を行い、前記無信号リソース配置を示す無信号リソース設定情報を生成し、
前記無信号リソースが配置された前記分散配置型のリソース含む信号と、前記無信号リソース設定情報とを送信する、
無線通信方法。
【発明の詳細な説明】
【技術分野】
【０００１】
本発明は、セルラーシステム等の無線通信システムに適用可能な無線受信装置及び無線送信装置、並びに無線通信方法に関する。
【背景技術】
【０００２】
セルラーシステム等の無線通信システムでは、ＯＦＤＭ（Orthogonal Frequency Division Multiplexing）方式において複数のサブキャリアを束ねたリソースブロック毎に、適応変調または周波数スケジューリングを適用し、周波数利用効率を改善することが検討されている。適応変調は、受信側で観測される伝搬路状況に応じ、所定のパケット誤り率を満たせるよう符号化率及び変調方式を決定する方式であり、適応ＭＣＳ（Modulation and Coding Scheme）制御とも呼ばれる。周波数スケジューリングは、無線通信システムの複数の移動局が各リソースブロックにつき受信側で観測される伝搬路状況を報告し、基地局が伝搬路状況を集約して、所定のスケジューリングアルゴリズムに従って、各移動局に良好なリソースブロックを割り当てるものである。これらの適応変調または周波数スケジューリングに用いる伝搬路状況の報告値を、チャネル情報：Channel State Information（ＣＳＩ）と呼ぶ。【０００３】
上記のＣＳＩ報告のために、セルラーシステム等の無線通信システムでは、伝搬路または伝送信号の各種指標を得るための参照信号が導入されている。図１１は、適応変調及び周波数スケジューリングを行う際のＣＳＩ報告の動作を模式的に示す動作説明図である。送信装置である基地局（nodeB）から受信装置である端末（UE A, UE B）に対して参照信号を送信し、それぞれの端末から基地局にＣＳＩ報告を行う。基地局では、報告された各端末のＣＳＩに基づき、適応変調及び周波数スケジューリングを実行し、各リソースブロックへの端末の割り当て、符号化率及び変調方式の決定などを行う。【０００４】
例えば、移動体通信の国際的な標準化団体である３ＧＰＰ（3rd Generation Partnership Project）において検討されている次世代通信システムのＬＴＥ（Long Term Evolution）においても、参照信号（Reference Signal：ＲＳ）が用いられる。基地局から端末への下り方向の通信において、送信装置（基地局）から受信装置（端末）に送信する参照信号は、主な用途として、（１）復調用の伝搬路推定、（２）適応変調または周波数スケジューリングのための品質測定、などに用いる。ＬＴＥでは、ＭＩＭＯ（Multiple Input Multiple Output）を適用するためのマルチアンテナシステムにおいて、所定の無線リソース単位で参照信号が送信される。ＬＴＥをさらに進めた通信システムであるＬＴＥ−ａｄｖａｎｃｅｄ（以下ＬＴＥ−Ａという）では、さらなる高度化を図るために、高次ＭＩＭＯ（例えば送信８アンテナ）、協調マルチポイント送受信（ＣｏＭＰ）などの導入が検討されている。このような周波数利用効率の高度化に対応するためには、より精度の高い伝搬路状況の測定が必要になる。【０００５】
前述のチャネル情報（ＣＳＩ）に加え、適応変調または周波数スケジューリングの制御に寄与するもう一つの要因として、セル間干渉が挙げられる。具体的には、送信装置の割り当てたリソースブロック及び符号化率及び変調方式により受信装置において誤り無く信号を検出、復調できるかどうかは、雑音及び干渉に対する希望信号の強さ、すなわちＳＩＮＲ（Signal to Interference plus Noise Ratio）に依存する。このため、受信装置において他セルからの干渉によるセル間干渉を測定したうえで、それに対する希望信号の強さをチャネル情報として報告することが望ましい。ところが、実際に干渉を及ぼす他セル信号は、他セルにおけるデータの割り当て状況により変動してしまう。【０００６】
図１２は、セル間干渉と他セルのトラフィックの状態を模式的に示した動作説明図である。送信装置である基地局（nodeB）から受信装置である端末（UE A）に対して信号を送信する際に、端末（UE A）では、取得すべき希望信号に対して、他セルの基地局（Interfering nodeB）からの信号が干渉信号として受信される。端末がセル間干渉を測定するために他セルからの干渉信号（他セル信号）を観測する際、観測タイミング及び観測する周波数リソースによっては、データが割り当てられている場合（図中白色のブロック）と、割り当てられていない場合（図中斜線のブロック）とが混在する。通常の動作において、端末では他セルのデータ割り当てに関する制御情報を把握する手段が無いため、他セル信号の割り当て状況を知ることができない。このデータ割り当て状況の変化による影響を緩和することのできる手段として、長時間、広帯域にわたる平均化処理が挙げられる。
【先行技術文献】
【非特許文献】
【０００７】
【非特許文献１】3GPP TSG RAN WG1 #59bis, R1-100048, Ericsson, ST-Ericsson, "On CSI RS Design", January, 2010
【発明の概要】
【発明が解決しようとする課題】
【０００８】
前述のセル間干渉測定に際して、希望信号を送信する基地局の特定のリソースを無信号とし、測定対象である他セル信号に対する干渉成分を軽減したうえで端末に受信させる動作が可能である（非特許文献１参照）。特定のリソースを無信号とした無信号リソースは、mutingあるいはsilent resourceと呼ばれる。図１３は、無信号リソースの配置例を示す図である。図示例は、非特許文献１に記載の無信号リソースを、ＬＴＥのリソース割り当てに適用した場合の一例を示している。ＬＴＥでは、適応変調及び周波数スケジューリングの最小単位は、周波数方向にはリソースブロック（Resource Block：ＲＢ、以下ＲＢという）、時間方向にはSub-frame（サブフレーム）として定義されている。リソース単位となる１つのsub-frame及びＲＢは、1 RB/Sub-frameと呼ばれる。ここで、1 RB/Sub-frameは、周波数方向に１２のサブキャリア、時間方向に１４のＯＦＤＭシンボルで構成される。これらのＯＦＤＭシンボル及びサブキャリアの単位は、ＲＥ（Resource element）と呼ばれる。1 RB/Sub-frame内の信号構成として、図中Sub-frame#0のＲＢ１２を拡大した枠内に示すように、時間軸の先頭から制御信号を配置し、続いてデータを配置して、所定のＲＥに参照信号ＲＳを配置する構成としている。そして、データ用のリソース（データ用ＲＥ）の一部を置き換えて無信号リソース（無信号ＲＥ）を配置する。参照信号ＲＳ、無信号ＲＥは、1 RB/Sub-frame中の特定のＲＥ（特定のＯＦＤＭシンボル、サブキャリア）に配置される。さらに、このように無信号ＲＥを有するRB/Sub-frameを、周波数方向及び時間方向において所定間隔毎に配置する。図示例では、周波数方向に２つおき、時間方向に１つおきに無信号ＲＥを有するRB/Sub-frameを配置している。【０００９】
図１３のように特定のRB/Sub-frameに無信号リソースを割り当てた場合、受信装置でのセル間干渉測定において平均化の効果を得るためには、無信号ＲＥを有するRB/sub-frameを配置する間隔を小さくする必要がある。しかしながら、無信号リソースの配置間隔を小さくすると、スループットが低下するという課題が生じる。既存システムに対応するレガシー端末（この場合はＬＴＥ端末）では、新たに追加したもの（無信号リソース）によって性能に悪影響を受けるおそれがあるため、当該無信号ＲＥを有するリソースにはレガシー端末を割り当てにくい。よって、基地局にとっては端末のスケジューリングに制約を受けてしまう。【００１０】
本発明は、上記事情に鑑みてなされたもので、その目的は、セル間干渉測定のための無信号リソースを割り当てる場合に、無信号リソースによるスケジューリングの制約等を回避できるようにすることにある。
【課題を解決するための手段】
【００１１】
本発明は、無線受信装置として、周波数−時間領域に定義されたリソース単位を時間方向に分割して所定周波数間隔で分散配置した分散配置型のリソースのうち、所定のリソースにおいて信号を含めない無信号リソースが配置されたことを示す無信号リソース設定情報を取得するリソース情報取得部と、前記無信号リソースが配置された前記分散配置型のリソースを含む信号を受信する受信部と、前記無信号リソース設定情報に基づき、前記分散配置型のリソースに配置された前記無信号リソースを用いて、他セルの干渉量に関するセル間干渉を測定するセル間干渉測定部と、を備えるものである。【００１２】
また、本発明は、無線送信装置として、周波数−時間領域に定義されたリソース単位を時間方向に分割して所定周波数間隔で分散配置した分散配置型のリソースのうち、所定のリソースにおいて信号を含めない無信号リソースを配置するようにリソース設定を行い、前記無信号リソース配置を示す無信号リソース設定情報を生成するリソース設定部と、前記無信号リソースが配置された前記分散配置型のリソースを含む信号と、前記無信号リソース設定情報とを送信する送信部と、を備えるものである。【００１３】
また、本発明は、無線通信方法として、周波数−時間領域に定義されたリソース単位を時間方向に分割して所定周波数間隔で分散配置した分散配置型のリソースのうち、所定のリソースにおいて信号を含めない無信号リソースが配置されたことを示す無信号リソース設定情報を取得し、前記無信号リソースが配置された前記分散配置型のリソースを含む信号を受信し、前記無信号リソース設定情報に基づき、前記分散配置型のリソースに配置された前記無信号リソースを用いて、他セルとの干渉量に関するセル間干渉を測定するものである。【００１４】
また、本発明は、無線通信方法として、周波数−時間領域に定義されたリソース単位を時間方向に分割して所定周波数間隔で分散配置した分散配置型のリソースのうち、所定のリソースにおいて信号を含めない無信号リソースを配置するようにリソース設定を行い、前記無信号リソース配置を示す無信号リソース設定情報を生成し、前記無信号リソースが配置された前記分散配置型のリソース含む信号と、前記無信号リソース設定情報とを送信するものである。【００１５】
上記構成により、セル間干渉測定のための無信号リソースを割り当てる場合に、分散配置型のリソースを利用して無信号リソースを配置することで、無信号リソースが配置されるリソースを特定のリソースに限定できる。このため、例えば既存システムに対応するレガシー端末へ影響を及ぼすリソースを最小限にでき、無信号リソースを配置した場合にレガシー端末のスケジューリングの制約等を削減できる。
【発明の効果】
【００１６】
本発明によれば、セル間干渉測定のための無信号リソースを割り当てる場合に、無信号リソースによるスケジューリングの制約等を回避することが可能になる。
【図面の簡単な説明】
【００１７】
【図１】本発明の実施形態で用いる受信装置の主要部の構成を示すブロック図
【図２】本発明の実施形態で用いる送信装置の主要部の構成を示すブロック図
【図３】第１の実施形態における無信号リソース配置構成を示す図
【図４】本実施形態における送受信装置間の信号伝送、各装置の動作を含む無線通信システムの処理手順を概略で示したシーケンス図
【図５】第２の実施形態における無信号リソース配置構成を示す図
【図６】ＤＶＲＢリソースの割り当て例を説明する図
【図７】第３の実施形態における無信号リソース配置構成を示す図
【図８】第３の実施形態における無信号リソース配置ＤＶＲＢ−ＩＤ通知用のビットマップの例を示す図
【図９】第４の実施形態における無信号リソース配置構成を示す図
【図１０】第４の実施形態における無信号リソース配置ＤＶＲＢ−ＩＤ通知用のビットマップの例を示す図
【図１１】適応変調及び周波数スケジューリングを行う際のＣＳＩ報告の動作を模式的に示す動作説明図
【図１２】セル間干渉と他セルのトラフィックの状態を模式的に示した動作説明図
【図１３】無信号リソースの配置例を示す図
【発明を実施するための形態】
【００１８】
本実施形態では、本発明に係る無線受信装置及び無線送信装置、並びに無線通信方法を携帯電話等の移動体通信用のセルラーシステムに適用した例を示す。ここでは、基地局（ＢＳ：Base Station）が無線送信装置となり、移動局の端末（ＵＥ：User Equipment）が無線受信装置となる無線通信システムにおいて、ＭＩＭＯによる通信を行う場合を例示する。基地局は、第１の通信システムであるＬＴＥに対応する端末と、第２の通信システムであるＬＴＥ−Ａに対応する端末と通信を行うものとする。この際、基地局から端末に対して適応変調または周波数スケジューリングを行うための参照信号が送信される。また、セル間干渉を測定するために、特定のリソースに無信号リソースを割り当てるものとする。
【００１９】
（第１の実施形態）
背景技術で説明したように、ＬＴＥでは、周波数−時間領域に定義された複数のリソースとして、周波数方向のＲＢと時間方向のSub-frameとで定義されたリソース単位であるRB/Sub-frameを用いる。このＬＴＥのフレーム構成において、適応変調及び周波数スケジューリングは、RB/Sub-frameを最小単位として行われる。本実施形態では、物理的な１つのRB/Sub-frameを時間方向に前半スロットと後半スロットに分割し、論理的な１つのRB/Sub-frame単位のリソースを前半スロットと後半スロットで周波数方向にホッピングさせて所定周波数間隔で異なる２つの物理的なRB/Sub-frameに離散的に配置させ、リソースを分散配置するようにした、分散配置型のリソースを利用する。ＬＴＥでは、上記のような分散配置型のリソースを分散配置用リソース（ＤＶＲＢ：Distributed Virtual RB、以下ＤＶＲＢリソースという）という。このＤＶＲＢリソースの配置を利用して、例えば４つのうちの２つなど、一部のＤＶＲＢリソースのみに無信号リソースを割り当てて、当該ＤＶＲＢリソースのスロットにおいて無信号ＲＥを配置して信号を送信する。ここで、無信号リソースは、実際には信号が送信されないリソースであり、その部分のＲＥはデータがパンクチャ（puncture）された形となる。ＤＶＲＢについては、下記の引用非特許文献Ａに記載されている。
【００２０】
［引用非特許文献Ａ］3GPP TSG RAN WG1 #53, R1-081818, LG Electronics, Panasonic, Motorola, Nortel, Ericsson, NEC, "Introduction of CR for downlink DVRB mapping to PRB", May, 2008
【００２１】
これによって、無信号リソースを割り当てる特定のRB/sub-frameでは、前半スロットまたは後半スロットに無信号ＲＥが配置され、物理的な１つのRB/Sub-frameのリソースにおいて一部のみに無信号ＲＥが存在することになる。本実施形態の無信号リソース配置方法については後で具体例を詳述する。
【００２２】
上記の無信号リソース配置方法を用いる構成とすることにより、ＬＴＥのみに対応可能なＬＴＥ端末へ影響を及ぼすリソースを最小限にすることができ、これによってスループット劣化を防ぐことができる。より具体的には、ＬＴＥ端末の復調性能劣化に対しては、無信号リソースが配置されるリソースを指定のＤＶＲＢリソースに限定できるため、これ以外のリソースにＬＴＥ端末用のデータを割り当てることで、無信号ＲＥによるデータ部のパンクチャの影響を防ぎ、復調性能の劣化を抑制できる。また、スケジューリングの制約に対しては、ＬＴＥ端末をＤＶＲＢリソースを用いて収容することで、全ての物理的なRB/Sub-frameにおいて無信号ＲＥが存在しないＤＶＲＢリソースのスロットが存在し、そこにＬＴＥ端末を割り当て可能であるので、スケジューリングの制約を削減できる。このように本実施形態によれば、セル間干渉測定のための無信号リソースの割り当てによる復調性能劣化及びスケジューラの制約を回避できるため、スループットの低下を防止することが可能となる。これにより、セル間干渉測定を精度良く行うことができ、より高精度のＣＳＩ報告が可能となるため、セルラーシステムにおける協調マルチポイント送受信等を良好な特性で実現可能となる。
【００２３】
次に、本実施形態に係る無線通信システムの受信装置及び送信装置の具体例の構成を説明する。
【００２４】
図１は本発明の実施形態で用いる受信装置の主要部の構成を示すブロック図、図２は本発明の実施形態で用いる送信装置の主要部の構成を示すブロック図である。
【００２５】
本実施形態では、図１に示した受信装置と図２に示した送信装置との間で電波を用いて無線通信を行う場合を想定している。ここでは、セルラーシステムの無線通信基地局装置（基地局、ＢＳ）に図２に示す送信装置（無線送信装置）を適用し、携帯電話装置などの無線通信移動局装置である端末（ＵＥ）に図１に示す受信装置（無線受信装置）を適用することが想定される。また、ここでは、送受信双方で複数のアンテナを使用して無線送受信を行うＭＩＭＯシステムを構成し、送信装置は複数の受信装置に対してそれぞれ送信可能であり、送信側で複数のアンテナに対して重み付けをするプリコーディング（Precoding）送信を行うことを前提としている。なお、通信信号の形態としては、例えば、ＯＦＤＭ信号によるマルチキャリア通信方式で通信を行う場合などが想定される。具体例として、送信装置となる基地局が、受信装置となるＬＴＥ対応のＬＴＥ端末及びＬＴＥ−Ａ対応のＬＴＥ−Ａ端末との間で通信を行う場合を例示する。
【００２６】
図１に示す受信装置は、複数のアンテナ１１１ａ、１１１ｂと、複数の受信ＲＦ部１１２ａ、１１２ｂと、チャネル推定部１１３と、ＭＩＭＯ復調部１１５と、復号部１１６と、ＣＲＣ検査部１１７と、セル間干渉測定部１２４と、ＣＳＩ測定部１２５と、フィードバック情報生成部１１８と、符号化部１１９と、多重部１２０と、送信ＲＦ部１２１と、制御信号復調部１２２とを備えている。
【００２７】
相手装置（例えば図２に示す送信装置）から送信される電波は、独立した複数のアンテナ１１１ａ、１１１ｂによりそれぞれ受信される。アンテナ１１１ａで受信された電波の高周波信号は、受信ＲＦ部１１２ａでベースバンド信号などの比較的低い周波数帯の信号に変換された後、フーリエ変換、パラレル／シリアル変換等の処理が行われてシリアルデータの受信信号に変換される。同様に、アンテナ１１１ｂで受信された電波の高周波信号は、受信ＲＦ部１１２ｂでベースバンド信号などの比較的低い周波数帯の信号に変換された後、フーリエ変換、パラレル／シリアル変換等の処理が行われてシリアルデータの受信信号に変換される。これらの受信ＲＦ部１１２ａ、１１２ｂの出力は、チャネル推定部１１３、ＭＩＭＯ復調部１１５、制御信号復調部１２２に入力される。
【００２８】
チャネル推定部１１３は、相手装置（送信装置）の各送信アンテナから送信される信号に含まれている参照信号に基づいてチャネル推定を実施し、チャネル推定値を算出する。この際、受信装置は、送信装置より別途通知された制御情報に基づき、無信号リソースの位置を特定する。具体的には、送信装置（基地局）から受信装置（端末）への制御情報において、ＤＶＲＢリソースのＩＤ及び送信サブフレームを通知する。この制御情報に基づき、チャネル推定部１１３は、無信号リソースの分散配置リソース情報として無信号リソース設定情報を入力し、無信号リソースが割り当てられるＤＶＲＢリソースのＩＤ及び送信サブフレームを取得する。この無信号リソース用のＤＶＲＢ設定情報、すなわちＤＶＲＢのホッピング方法及び送信サブフレーム間隔は、詳しくは後述するが、上記の引用非特許文献Ａに記載のＤＶＲＢリソースの配置及び通知方法を利用する。そして、チャネル推定部１１３は、該当リソースの既定のＯＦＤＭシンボル、サブキャリアに無信号リソースが配置されているものとして、チャネル品質測定用の参照信号ＲＳによってチャネル推定処理を行う。制御信号復調部１２２は、基地局などから送信される制御信号を復調し、無信号リソース用のＤＶＲＢの設定に関する無信号リソース設定情報、送信信号の変調方式及び符号化率などのＭＣＳの情報を含む送信パラメータなどの制御情報を抽出して取得する。この際、制御信号復調部１２２は、予め無信号リソース設定情報の受信、復調を行って保持する。チャネル推定部１１３で算出されたチャネル推定値は、セル間干渉測定部１２４、ＣＳＩ測定部１２５、ＭＩＭＯ復調部１１５に入力される。
【００２９】
セル間干渉測定部１２４は、チャネル推定部１１３と同様に送信装置より別途通知された制御情報に基づき、無信号リソースが配置されたＤＶＲＢリソースの周波数（ＤＶＲＢリソースのＩＤ）と時間間隔（送信サブフレーム間隔）を特定する。そして、チャネル推定部１１３により得られた該当リソースにおけるチャネル推定値に対し、平均化及び補間の処理を行ったうえでセル間干渉を算出する。すなわち、無信号リソースの配置に応じて他セルからの干渉量を示すセル間干渉の値を算出する。ＣＳＩ測定部１２５は、チャネル推定部１１３の出力とセル間干渉測定部１２４の出力とに基づき、前述の非特許文献１と同様にして、送信装置から送信される参照信号ＲＳの受信値とセル間干渉の算出値とを用いて、チャネル品質情報ＣＳＩを算出する。具体的なチャネル品質情報ＣＳＩとして、既定の変調方式・符号化率の組み合わせに対応したＣＱＩ（Channel Quality Indicator）、既定のコードブックから現在のチャネル状況に即したプリコーディングマトリクスを選択するＰＭＩ（Precoding Matrix Indicator）、希望する送信ストリーム数に対応したＲＩ（Rank Indicator）などが挙げられる。このチャネル品質情報ＣＳＩは、フィードバック情報生成部１１８に入力される。
【００３０】
ＭＩＭＯ復調部１１５は、チャネル推定部１１３から受け取ったチャネル推定値を用いて自装置（自身の受信装置）に対応する受信信号の復調処理を行い、復調した信号を復号部１１６に出力する。この際、デインターリーブ処理、レートデマッチング（Rate-Dematching）処理、尤度合成処理等を行う。復号部１１６は、ＭＩＭＯ復調部１１５から入力される信号について復号処理を行って受信データを復元する。この際、ＭＩＭＯ復調部１１５から受け取ったＭＩＭＯ分離後の信号に対し誤り訂正復号処理を施し、ＣＲＣ検査部１１７に出力する。ＣＲＣ検査部１１７は、復号部１１６から出力される復号後の信号に対しＣＲＣ（Cyclic Redundancy Check）検査による誤り検出処理を施し、復号後の受信データに誤りが含まれているかどうかを示すデータエラーの有無情報をフィードバック情報生成部１１８に出力する。そして、ＣＲＣ検査部１１７より受信データが出力される。
【００３１】
フィードバック情報生成部１１８は、ＣＳＩ測定部１２５で算出したチャネル品質情報ＣＳＩ（ＣＱＩ、ＰＭＩ、ＲＩなど）を含むフィードバック情報を生成する。また、フィードバック情報生成部１１８は、ＣＲＣ検査部１１７での誤り検出結果に基づき、復号した受信データに誤りが含まれているかどうかを判断し、Ａｃｋ／Ｎａｃｋ情報を生成する。ここで、復号結果に誤りが含まれていなければＡｃｋ（Acknowledgement）を生成し、復号結果に誤りが含まれていればＮａｃｋ（Negative Acknowledgement）を生成する。
【００３２】
符号化部１１９は、送信データの符号化処理を行って多重部１２０に出力する。多重部１２０は、入力したフィードバック情報、符号化された送信データを含む送信信号等を多重処理する。そして、変調多値数及び符号化率を適応的に設定するレートマッチング（Rate-Matching）処理、インターリーブ処理、変調処理等を行い、送信ＲＦ部１２１に出力する。送信ＲＦ部１２１では、シリアル／パラレル変換、逆フーリエ変換等の処理が行われた後、所定の無線周波数帯の高周波信号に変換され、電力増幅された後にアンテナ１１１ａから電波として送信される。このとき、受信装置から送信されるチャネル品質情報ＣＳＩ、Ａｃｋ／Ｎａｃｋ情報等のフィードバック情報は、フィードバック信号として送信装置に伝送されて報告される。
【００３３】
上記構成において、制御信号復調部１２２がリソース情報取得部の機能を実現する。また、受信ＲＦ部１１２ａ、１１２ｂ、ＭＩＭＯ復調部１１５が受信部の機能を実現する。また、セル間干渉測定部１２４がセル間干渉測定部の機能を実現する。また、チャネル推定部１１３、ＣＳＩ測定部１２５がチャネル品質測定部の機能を実現する。また、フィードバック情報生成部１１８、多重部１２０、送信ＲＦ部１２１がフィードバック情報送信部の機能を実現する。
【００３４】
一方、図２に示す送信装置は、複数の端末用信号処理部２３１ｍ、２３１ｎと、符号化・変調部２３２と、プリコーディング処理部２３３と、複数の送信ＲＦ部２３４ａ〜２３４ｄと、複数のアンテナ２３５ａ〜２３５ｄと、スケジューリング部２３６と、無信号リソース用ＤＶＲＢ設定部２３７と、参照信号生成部２３９と、受信ＲＦ部２４１と、分離部２４２と、復調・復号部２４３と、ＣＲＣ検査部２４４と、フィードバック情報復調部２４５と、制御情報生成部２４６とを備えている。
【００３５】
相手装置（例えば図１に示す受信装置）から送信される電波は、アンテナ２３５ａにより受信される。アンテナ２３５ａで受信された電波の高周波信号は、受信ＲＦ部２４１でベースバンド信号などの比較的低い周波数帯の信号に変換された後、分離部２４２に入力される。分離部２４２は、受信信号からフィードバック信号を分離し、フィードバック信号をフィードバック情報復調部２４５に、その他の受信信号を復調・復号部２４３にそれぞれ出力する。フィードバック信号に含まれるチャネル品質情報及びＡｃｋ／Ｎａｃｋ情報等はフィードバック情報復調部２４５にて復調され、スケジューリング部２３６に入力される。スケジューリング部２３６は、受信装置から報告を受けたチャネル品質情報ＣＳＩに基づき、伝送信号に関するスケジューリングとして、周波数スケジューリング、適応変調の少なくともいずれか一方を実施する。
【００３６】
復調・復号部２４３は、分離部２４２で分離された受信信号の復調処理、復号処理を行い、受信したデータを復元する。ＣＲＣ検査部２４４は、復調・復号部２４３から出力される復号後の信号に対しＣＲＣ検査による誤り検出処理を施し、復号後の受信データに誤りが含まれているかどうかを判定する。そして、ＣＲＣ検査部２４４より受信データが出力される。
【００３７】
端末用信号処理部２３１ｍ、２３１ｎは、ＬＴＥ−Ａ用、ＬＴＥ用などのそれぞれのユーザの端末に対応する送信信号の信号処理を行うものであり、それぞれ符号化・変調部２３２、プリコーディング処理部２３３を有している。符号化・変調部２３２は、送信データの符号化処理、制御信号等の多重処理、レートマッチング処理、インターリーブ処理、変調処理等を行い、プリコーディング処理部２３３に出力する。プリコーディング処理部２３３は、複数のアンテナに出力するそれぞれの送信信号に対して送信波のビームを形成するための重み付け処理を行い、各送信信号を各アンテナの送信ＲＦ部２３４ａ〜２３４ｄに出力する。
【００３８】
送信ＲＦ部２３４ａ〜２３４ｄでは、送信信号についてシリアル／パラレル変換、逆フーリエ変換等の処理が行われた後、所定の無線周波数帯の高周波信号に変換され、電力増幅された後にアンテナ２３５ａ〜２３５ｄから電波として送信される。送信装置からの送信信号は、参照信号等を含むパイロットチャネル、制御信号、及び各種データを含むデータ信号などとして受信装置に伝送される。ここで、パイロットチャネル及び制御信号はビームを形成しない無指向性の信号として送信され、データ信号は所定の送信チャネルにおいてプリコーディングにより所定のビームを形成した有指向性の信号として送信される。
【００３９】
無信号リソース用ＤＶＲＢ設定部２３７は、スケジューリング部２３６と制御情報生成部２４６に無信号リソース用のＤＶＲＢ設定情報を通知する。参照信号生成部２３９は、チャネル品質測定用の参照信号ＲＳを生成し、各リソースに配置する。スケジューリング部２３６は、受け取った無信号リソース用のＤＶＲＢ設定情報を用いて、各端末の割り当てを行う。この際、ＤＶＲＢ設定情報に対応するＤＶＲＢリソースのＩＤ及び送信サブフレームに基づき、無信号リソースが割り当てられないリソースを用いてＬＴＥ端末の割り当てを行う。制御情報生成部２４６は、ＤＶＲＢ設定情報から無信号リソース設定情報を生成し、この無信号リソース設定情報とスケジューリングによる各端末のリソース割り当て情報とを含む制御情報を生成して、端末用信号処理部２３１ｍ、２３１ｎに出力する。そして、この制御情報を受信装置に送信して各端末に別途無信号リソース設定情報を通知する。
【００４０】
上記構成において、無信号リソース用ＤＶＲＢ設定部２３７がリソース設定部の機能を実現する。また、参照信号生成部２３９が参照信号生成部の機能を実現する。また、端末用信号処理部２３１ｍ、２３１ｎ、送信ＲＦ部２３４ａ〜２３４ｄが送信部の機能を実現する。また、受信ＲＦ部２４１、分離部２４２、フィードバック情報復調部２４５がフィードバック情報取得部の機能を実現する。また、スケジューリング部２３６がスケジューリング部の機能を実現する。
【００４１】
次に、本実施形態における無信号リソース配置方法について詳しく説明する。図３は第１の実施形態における無信号リソース配置構成を示す図であり、参照信号ＲＳ、制御信号、データ、無信号リソース等のリソース上の配置例を示している。第１の実施形態では、送信サブフレームのSub-frame#0におけるＤＶＲＢリソースのうち、ＲＢ０の前半スロット（第１スロット）及びＲＢ８の後半スロット（第２スロット）（図中、斜線のハッチングで示したブロック）に対応するリソースを、無信号リソースの割り当てに用いるとする。そして、該当サブフレームにおけるＤＶＲＢリソースのうち、ＲＢ０の後半スロットとＲＢ８の前半スロット（図中、格子状のハッチングで示したブロック）にＬＴＥ端末用データ領域（ＰＤＳＣＨ領域）を割り当てた例を図示している。ＲＢ４とＲＢ１２も同様である。ホッピングして異なるRB/Sub-frameに割り当てられる前半スロットと後半スロットは、１つのリソースＩＤ（ＤＶＲＢ−ＩＤ）で定義される。時間方向には、Sub-frame#0、Sub-frame#2と１つおきの送信サブフレームに無信号リソースを配置する。
【００４２】
無信号リソース用ＤＶＲＢ設定部２３７は、所定の周波数間隔で分散配置されたリソースにおいて、１つのRB/Sub-frameのうちの一方のスロット（図３の斜線のハッチングで示したブロック）に無信号リソースを配置するようにＤＶＲＢリソースの設定を行う。スケジューリング部２３６は、上記ＤＶＲＢリソースの設定に基づき、無信号リソースが割り当てられないRB/Sub-frame、あるいは、無信号リソースが割り当てられたRB/Sub-frameについては他方のスロット（図３の格子状のハッチングで示したブロック）にＬＴＥ端末用データを割り当てるようにする。
【００４３】
このとき、図３中でSub-frame#0のＲＢ１２を拡大した枠内に示すように、無信号リソースを配置するＲＥ（シンボル・サブキャリア）は、１つのRB/Sub-frameの割当リソースにおいて後半部分に位置し、この後半部分のデータ部のＲＥを無信号ＲＥで置き換えることになる。したがって、無信号ＲＥの配置は一方のスロット（斜線のハッチングで示したブロック）中に限定され、他方のスロット（格子状のハッチングで示したブロック）に多重する端末用データは、無信号リソースの影響を受けることなく送信することができる。なお、図中１つのＲＢとして示される1 RB/Sub-frame単位のリソースは、例えば周波数方向に１２サブキャリア、時間方向に１４シンボルの合計１６８のＲＥを持つものとする。また、ＤＶＲＢリソースを用いることにより、無信号リソースの分散配置が可能であり、図に示すように該当のリソースＩＤ（ＲＢ０など）を一つ通知すれば周波数方向に広く間隔を取った２つの周波数領域に無信号リソースを配置することが可能となる。ＤＶＲＢのホッピング間隔は、システム帯域幅によって一意に決定される。このＤＶＲＢリソースを指示する無信号リソース設定情報の通知方法は、セル全体の制御情報を示すシステム情報（System Information Block： ＳＩＢ）として通知してもよいし、各端末個別の無線リソース制御情報（Radio Resource Control：ＲＲＣ）として通知してもよい。
【００４４】
図４は本実施形態における送受信装置間の信号伝送、各装置の動作を含む無線通信システムの処理手順を概略で示したシーケンス図である。初めに送信装置は、制御情報によって無信号リソース設定情報として「無信号リソース割り当て」を受信装置に通知する（Ｓ１）。また、送信装置は、参照信号ＲＳを含むRB/Sub-frameをパイロットチャネルとして受信装置に送信する（Ｓ２）。なお、参照信号ＲＳと無信号リソースは同じパイロットチャネルに割り当ててもよいし、別々のチャネル（RB/Sub-frame）に割り当てて送信してもよい。そして、受信装置は、セル間干渉測定部１２４により該当する無信号リソースを用いてセル間干渉を測定する（Ｓ３）とともに、このセル間干渉の測定結果に基づき、ＣＳＩ測定部１２５によりパイロットチャネルを用いてチャネル品質情報ＣＳＩを測定する（Ｓ４）。受信装置は、測定したチャネル品質情報ＣＳＩを送信装置に送信して報告する（Ｓ５）。
【００４５】
送信装置では、受け取ったチャネル品質情報ＣＳＩを復調し（Ｓ６）、その内容に沿って適応変調及び周波数スケジューリングを実行し、各ＲＢへの端末の割り当て、符号化率及び変調方式の決定などのリソース割り当てを行う（Ｓ７）。そして、送信装置は、リソース割り当てに応じて、該当データと関連制御情報を含む制御信号とを、パイロットチャネルとあわせて送信する（Ｓ８、Ｓ９、Ｓ１０）。
【００４６】
受信装置では、送信装置から送られてきた各信号を受け取り、制御信号を復調して自装置のデータ送信に用いられたリソース及びＭＣＳを特定し（Ｓ１１）、データ受信及び復号処理を実施する（Ｓ１２、Ｓ１３）。そして、復号データのＣＲＣ検査の結果に基づいてＡｃｋまたはＮａｃｋを生成し（Ｓ１４）、Ａｃｋ／Ｎａｃｋ情報を送信装置にフィードバックする（Ｓ１５）。
【００４７】
そして、送信装置におけるパイロットチャネル送信以降の手順（Ｓ１６〜Ｓ１９）を適宜繰り返し実行し、受信装置で測定したセル間干渉及びチャネル品質情報に基づいた適応変調、周波数スケジューリングにより、データ送信を実施する。上記例においては、Ｓ２〜Ｓ５、Ｓ８〜Ｓ１５、Ｓ１６〜Ｓ１９がそれぞれ１つのサブフレームに相当する。無信号リソース設定情報の通知は、サブフレーム間隔（例えば数ｍｓ〜数十ｍｓ）に比べて長い時間間隔（例えば数秒単位）で行うものとする。
【００４８】
本実施形態では、受信装置において、無信号リソース設定情報によって事前に通知されたＤＶＲＢリソースに配置された無信号リソースを用いて、セル間干渉の測定を行ってチャネル品質を測定し、送信装置に報告する。また、送信装置において、受信装置に向けて事前に無信号リソースを割り当てるＤＶＲＢリソースを通知し、受信装置からのチャネル品質の測定結果を受信する。この受信装置から報告されたチャネル品質測定結果を用いて、適応変調、周波数スケジューリングを実施する。
【００４９】
ここで、ＤＶＲＢリソースは、前半スロットと後半スロットとに分割され、周波数方向にホッピングさせて異なるRB/Sub-frameに離散的に配置されている。このＤＶＲＢリソースの配置を利用することで、無信号リソースは一部のＩＤのＤＶＲＢリソースのみに割り当てられる。この場合、無信号リソースが割り当てられる特定のRB/sub-frameでは、前半スロットまたは後半スロットに無信号ＲＥが配置され、物理的な１つのRB/Sub-frameのリソースにおいて一部のみに無信号ＲＥが存在することになる。このため、受信装置でのセル間干渉測定において平均化の効果を得るために、無信号ＲＥを有するRB/sub-frameを配置する間隔を小さくしたとしても、既存システムに対応するレガシー端末（ＬＴＥ端末）へ影響を及ぼすリソースを最小限にすることができる。この際、無信号ＲＥが存在するリソースには受信性能劣化のおそれがあるレガシー端末を割り当てにくいが、全ての物理的なRB/Sub-frameにおいて無信号ＲＥが存在しないＤＶＲＢリソースのスロットが存在し、そこにレガシー端末を割り当て可能であるので、スケジューリングの制約を削減できる。なお、無信号リソースに適応可能なアドバンス端末（ＬＴＥ−Ａ端末）では、予め無信号ＲＥの配置がわかっているので、無信号ＲＥを除外して適切なデータ復調が可能である。また、無信号ＲＥが存在しないＤＶＲＢリソースのスロットにレガシー端末を割り当てることによって、無信号ＲＥによるデータ部のパンクチャの影響を防止し、復調性能の劣化を抑制できる。これらにより、無線通信システムのスループットの劣化を防止できる。
【００５０】
なお、無信号リソースは、ＤＶＲＢリソースの前半スロットと後半スロットのうち、後半スロットのみに配置するようにしてもよい。ＬＴＥでは、レートマッチング後の信号をリソースの先頭からfrequency-first（周波数優先）の規則で割当リソース内に配置する。すなわち、１つのRB/Sub-frameの割当リソースにおいて、符号化データにおける符号化前のデータ本体であるシステマティックビットから順に先頭のＯＦＤＭシンボルより周波数方向に各サブキャリアに配置した後に、次のＯＦＤＭシンボルの先頭サブキャリアに戻って周波数方向の配置を施し、これを最終シンボルまで繰り返すようにしている。よって、送信されるデータのうち、システマティックビットは割当リソース内の時間軸上で先頭側に配置され、符号化により付加される冗長データであるパリティビットは後ろ側に配置される。このため、該当リソース中の後半シンボルほどパリティビットの配置される確率が高くなる。よって、無信号リソースを後半スロットに割り当てることによって、システマティックビットがパンクチャされる可能性を小さくでき、復調性能劣化が発生する可能性を小さくできる。また、スケジューリングの制約をさらに削減できる。
【００５１】
（第２の実施形態）
第２の実施形態では、上述した第１の実施形態の無信号リソース配置方法の変形例を示す。図５は第２の実施形態における無信号リソース配置構成を示す図である。図６はＤＶＲＢリソースの割り当て例を説明する図である。この第２の実施形態は、上記の引用非特許文献Ａと同様にして、システム帯域幅においてＤＶＲＢリソースの割り当てを繰り返して無信号リソースを配置する例である。すなわち、図３に示した第１の実施形態の無信号リソース配置をシステム帯域幅において繰り返すリソース配置構成である。図６には引用非特許文献Ａに記載されているＤＶＲＢリソースの割り当ての一例を示している。無信号リソースは、補間／平均化の効果を得るために、あまり間隔が広くなり過ぎないように適度な間隔に分散して配置するのが好ましく、また、システム帯域全体に渡って配置するのがより好ましい。
【００５２】
例えば、各ＤＶＲＢリソースに割り振られているＤＶＲＢ用リソースＩＤ（ＤＶＲＢ−ＩＤ）のうち、ＤＶＲＢ＃０とＤＶＲＢ＃１に対応するリソースを用いて無信号リソースを割り当て、ＤＶＲＢ＃２とＤＶＲＢ＃３には無信号リソースを割り当てないものとする。この場合、周波数方向の間隔は、ＤＶＲＢ＃０の前半スロットと後半スロットとでＮ〜DLVRB／２、ＤＶＲＢ＃０とＤＶＲＢ＃１の同一スロットでＮrowだけ離れた位置となる。ここで、ＮDLVRBは、ＤＶＲＢとして利用可能なＶＲＢ（Virtual Resource Block）の数であり、Ｎ〜DLVRB（実際にはＮの上に〜が付くものである）は、ＤＶＲＢをインターリーブする際のＶＲＢ数の単位である。また、Ｎrowは、ＤＶＲＢを２次元のロウ（row）とカラム（column）でインターリーブする際のロウ方向のＶＲＢ数である。カラム方向のＶＲＢ数Ｎcolは４とする。ＬＴＥでは、これらの値はシステム帯域幅に応じて一意に決定される固定値であり、例えば１０ＭＨｚのシステムではＮ〜DLVRBが３．２ＭＨｚ程度とシステム帯域内の半分以下の領域に限定されることがあり得る。このとき、例えばＤＶＲＢ＃０とＮ〜DLVRB離れた周波数位置のリソースを無信号リソース割り当てに用いる場合に、対応するＤＶＲＢ＃Ｊを活用できる。前述のシステム帯域幅１０ＭＨｚのシステム（総ＲＢ数ＮDLRBが５０）であれば、Ｎrow＝６、Ｎ〜DLVRB＝１８に対応してＪ＝１８となる。この場合、ＮDLVRB＝３６であり、１８個のＤＶＲＢリソースの割り当てを２回繰り返すことができる。このとき、ＤＶＲＢ＃２及びＤＶＲＢ＃３はＤＶＲＢ送信に限定されるが、ＤＶＲＢ＃４〜ＤＶＲＢ＃Ｊ−１に対応する周波数リソースは任意に割当可能である。例えば集中的にリソースを配置する連続配置用リソースであるＬＶＲＢ（Localized Virtual RB）として端末を割り当てることができる。よって、ＬＴＥ端末は、無信号リソースが割り当てられないＤＶＲＢリソース（図５中のＤＶＲＢ＃２及びＤＶＲＢ＃３）あるいはＬＶＲＢを用いて割り当てることが可能である。なお、総ＲＢ数ＮDLRBに対しＮ〜DLVRBの倍数で余りが生じる場合は、余り部分のＲＢに無信号リソースを割り当ててもよい。
【００５３】
このような無信号リソース配置方法を用いる構成により、使用されるシステム帯域幅内の広い領域において適度な間隔に分散して配置することができ、セル間干渉測定における平均化の効果を高めることができる。
【００５４】
（第３の実施形態）
第３の実施形態では、上述した第１の実施形態の無信号リソース配置方法のさらに他の例を示す。図７は第３の実施形態における無信号リソース配置構成を示す図である。第３の実施形態は、前述した第１及び第２の実施形態と同様に、ｋサブフレーム毎（例えば１つおきの２サブフレーム毎）に無信号リソースを配置する場合を想定し、Ｎ〜DLVRB≦Ｊ＜ＮDLVRBとした場合の無信号リソース配置の一例である。図７の具体例は、ｋ＝２（２サブフレーム毎の送信）かつＪ＝Ｎ〜DLVRBとした場合の無信号リソースの配置を示したものである。
【００５５】
この場合、無信号リソース設定情報を含む制御情報による無信号リソース割り当て通知として、送信装置から受信装置に対し、「無信号リソース配置周期ｋ」「シフト量Ｊ」に加え、「無信号リソース配置ＤＶＲＢ−ＩＤ」を通知する。「無信号リソース配置ＤＶＲＢ−ＩＤ」の具体的な内容として、ＤＶＲＢのリソースＩＤのＤＶＲＢ＃０から＃Ｎ〜DLVRB−１にそれぞれ対応したビット幅Ｎ〜DLVRBのビットマップとする。図８は第３の実施形態における無信号リソース配置ＤＶＲＢ−ＩＤ通知用のビットマップの例を示す図である。図示例では、＃０、＃１、＃８、＃９、…に無信号リソースが配置される場合の無信号リソース設定情報のビットマップが示されている。
【００５６】
この無信号リソース設定情報により、送受信装置ともに、各無信号リソース送信タイミングである２サブフレーム毎にＤＶＲＢ−ＩＤをＪだけシフトした無信号リソース配置として解釈する。より具体的には、無信号リソース送信タイミング毎に、図８のうち“１”を配置したＤＶＲＢ−ＩＤに対しＪを加算したＤＶＲＢ−ＩＤに、無信号リソース配置を割り当てたものとして動作する。ここで、シフトした結果としてＤＶＲＢ−ＩＤがＮDLVRBを超える場合には、ＮDLVRBによる剰余として扱う。
【００５７】
このような無信号リソース配置方法を用いる構成により、送信装置から受信装置に通知する無信号リソース配置ＤＶＲＢ−ＩＤのシグナリング量を小さく（この場合Ｎ〜DLVRBビット）したまま、システム帯域幅内のより広い帯域に無信号リソースを配置することができる。特に、測定対象のセルが協調制御などの動作により＃０から＃Ｎ〜DLVRB−１といった特定の周波数リソースを優先的に割り当てる場合に、効果的なセル間干渉測定を実施できる。またこの場合、各送信サブフレームによって異なるリソースを用いたセル間干渉測定が可能となり、他セルのトラフィック状況、リソース割り当て状況などが偏っていても平均的なセル間干渉測定が実施できる。また、１つの送信サブフレームにおいては無信号リソースの密度を小さくできるので、さらなるスケジューリングの制約の削減、及び復調性能の劣化の抑制が可能となり、スループットの劣化を防止できる。
【００５８】
（第４の実施形態）
第４の実施形態では、上述した第３の実施形態の無信号リソース配置方法の変形例を示す。図９は第４の実施形態における無信号リソース配置構成を示す図である。第４の実施形態は、Ｊ≦Ｎcolとした場合の無信号リソース配置の一例である。図９の具体例は、ｋ＝２（２サブフレーム毎の送信）かつＪ＝１とした場合の無信号リソースの配置を示したものである。
【００５９】
この場合、第３の実施形態と同様、無信号リソース設定情報を含む制御情報による無信号リソース割り当て通知として、送信装置から受信装置に対し、「無信号リソース配置周期ｋ」「シフト量Ｊ」に加え、「無信号リソース配置ＤＶＲＢ−ＩＤ」を通知する。「無信号リソース配置ＤＶＲＢ−ＩＤ」の具体的な内容として、ＤＶＲＢのリソースＩＤのＤＶＲＢ＃０から＃（ＮDLVRB／Ｎcol）−１にそれぞれ対応したビット幅ＮDLVRB／Ｎcolのビットマップとする。図１０は第４の実施形態における無信号リソース配置ＤＶＲＢ−ＩＤ通知用のビットマップの例を示す図である。図示例では、＃０、＃Ｊ／Ｎcol、…に無信号リソースが配置される場合の無信号リソース設定情報のビットマップが示されている。
【００６０】
この無信号リソース設定情報により、送受信装置ともに、各無信号リソース送信タイミングである２サブフレーム毎に、図１０のうち“１”を配置したＤＶＲＢ−ＩＤにＮcolを乗算して得られるＤＶＲＢ−ＩＤを、Ｊだけシフトした無信号リソース配置として解釈する。ここで、送信タイミングを重ねることにより、シフト量がＮcolを超える場合には、Ｎcolによる剰余として扱う。
【００６１】
このような無信号リソース配置方法を用いる構成により、送信装置から受信装置に通知する際のシグナリング量を小さくするために、量子化の粒度を粗くする一方で複数回の送信により該当の量子化の影響を回避することができる。特に、測定対象のセルに所属する受信装置が少なく、該当受信装置で観測される品質のよい周波数リソースに割り当てが集中する場合に、効果的なセル間干渉測定を実施できる。この場合、１つの送信サブフレームにおいては無信号リソースの密度を小さくできるので、さらなるスケジューリングの制約の削減、及び復調性能の劣化の抑制が可能となり、スループットの劣化を防止できる。また、システム帯域幅内のより広い帯域に無信号リソースを配置することができるとともに、複数の送信サブフレームにおいて無信号リソースの配置密度を埋めることができるため、セル間干渉測定における平均化の効果を高めることができる。
【００６２】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【００６３】
なお、上記実施形態ではアンテナとして説明したが、アンテナポートでも同様に適用できる。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なる参照信号（Reference signal）を送信できる最小単位として規定されている。また、アンテナポートはプリコーディングベクトル（Precoding vector）の重み付けを乗算する最小単位として規定されることもある。
【００６４】
上記各実施形態では、本発明をハードウェアで構成する場合を例にとって説明したが、本発明はソフトウェアで実現することも可能である。
【００６５】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、ＬＳＩ内部の回路セルの接続及び設定を再構成可能なリコンフィギュラブル・プロセッサを利用してもよい。
【００６７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００６８】
本出願は、２０１０年３月２６日出願の日本特許出願（特願２０１０−０７２３６０）に基づくものであり、その内容はここに参照として取り込まれる。
【産業上の利用可能性】
【００６９】
本発明は、セル間干渉測定のための無信号リソースを割り当てる場合に、無信号リソースによるスケジューリングの制約等を回避し、スループットの低下を防止できるという効果を有し、セルラーシステム等の無線通信システムに適用可能な無線受信装置及び無線送信装置、並びに無線通信方法等として有用である。
【符号の説明】
【００７０】
１１１ａ、１１１ｂ  アンテナ
１１２ａ、１１２ｂ  受信ＲＦ部
１１３  チャネル推定部
１１５  ＭＩＭＯ復調部
１１６  復号部
１１７  ＣＲＣ検査部
１１８  フィードバック情報生成部
１１９  符号化部
１２０  多重部
１２１  送信ＲＦ部
１２２  制御信号復調部
１２４  セル間干渉測定部
１２５  ＣＳＩ測定部
２３１ｍ、２３１ｎ  端末用信号処理部
２３２  符号化・変調部
２３３  プリコーディング処理部
２３４ａ〜２３４ｄ  送信ＲＦ部
２３５ａ〜２３５ｄ  アンテナ
２３６  スケジューリング部
２３７  無信号リソース用ＤＶＲＢ設定部
２３９  参照信号生成部
２４１  受信ＲＦ部
２４２  分離部
２４３  復調・復号部
２４４  ＣＲＣ検査部
２４５  フィードバック情報復調部
２４６  制御情報生成部
【図１】
0005632456.tif 000002
【図２】
0005632456.tif 000003
【図３】
0005632456.tif 000004
【図４】
0005632456.tif 000005
【図５】
0005632456.tif 000006
【図６】
0005632456.tif 000007
【図７】
0005632456.tif 000008
【図８】
0005632456.tif 000009
【図９】
0005632456.tif 000010
【図１０】
0005632456.tif 000011
【図１１】
0005632456.tif 000012
【図１２】
0005632456.tif 000013
【図１３】
0005632456.tif 000014